(57)【要約】【課題】燃料容器及び発電機を筐体内に格納するとともに、狭小地に設置可能なエネルギー供給ユニットを提供すること。【解決手段】燃料容器３と発電機４との並設方向に互いに対向する筐体２の二つの側面である容器側側面２２及び発電機側側面２３には、それぞれ燃料容器３及び発電機４が通過可能な容器側開口部２２ａ及び発電機側開口部２３ａが形成されていることで、設置の際に並設方向にのみ作業用スペースを設ければよく、並設方向に直交し、且つ、水平な方向については、設置寸法と筐体２の寸法とを略同一とすることができ、幅の狭い通路等に設置することができる。【選択図】図１
2014137014.tif 000002
【特許請求の範囲】
【請求項１】
ガス燃料が貯留された燃料容器と、
前記ガス燃料を燃焼させて発電を行う発電機と、
前記ガス燃料を前記燃料容器から前記発電機に供給するための配管と、
前記燃料容器、前記発電機、及び、前記配管を格納する箱状の筐体と、を有して構成され、
前記筐体の内部には、前記燃料容器が格納される容器側空間と前記発電機が格納される発電機側空間とを分割する仕切り部が設けられ、
前記筐体における同一の側面又は対向する二つの側面には、前記燃料容器が前記容器側空間と該筐体外部との間を通過可能な寸法を有する容器側開口部と、前記発電機が前記発電機側空間と該筐体外部との間を通過可能な寸法を有する発電機側開口部と、が形成されるとともに、前記容器側開口部を塞ぐ容器側開閉部と、前記発電機側開口部を塞ぐ発電機側開閉部と、が設けられていることを特徴とするエネルギー供給ユニット。
【請求項２】
前記燃料容器と前記発電機とは、水平方向に並設され、
前記容器側開口部と前記発電機側開口部とは、前記筐体における前記燃料容器と前記発電機との並設方向に互いに対向する二つの側面にそれぞれ形成されていることを特徴とする請求項１に記載のエネルギー供給ユニット。
【請求項３】
前記仕切り部は、前記筐体内部を前記並設方向に分割する縦仕切り部と、上下方向に分割する横仕切り部と、を有して構成され、
前記発電機側空間は、前記筐体よりも小さい高さ寸法を有して形成され、
前記容器側空間は、前記発電機側空間よりも大きい高さ寸法を有するとともに前記縦仕切り部を介して前記発電機側空間と前記並設方向に並ぶ第一空間と、前記横仕切り部を介して前記発電機側空間の上方に位置する第二空間とを有して形成され、
前記燃料容器は、前記第一空間に設けられていることを特徴とする請求項２に記載のエネルギー供給ユニット。
【請求項４】
前記配管は、前記第一空間から前記第二空間に向かって延びるとともに、前記ガス燃料を前記発電機に供給するための発電機用接続管と、前記筐体外部の燃焼機器に供給するための燃焼機器用接続管と、を有して構成され、
前記発電機用接続管は、前記第二空間から前記横仕切り部を貫通して前記発電機側空間まで延びて設けられ、
前記燃焼機器用接続管は、前記第二空間から前記筐体における前記発電機側の側面を貫通して外部に突出して設けられていることを特徴とする請求項３に記載のエネルギー供給ユニット。
【請求項５】
前記縦仕切り部と前記横仕切り部とのうち一方には、前記配管と前記発電機とを接続するための可撓管を前記発電機側空間に収容する可撓管収容部が設けられ、他方には、前記発電機から外部に電力を供給するための電源コードを前記発電機側空間に収容するコード収容部が設けられていることを特徴とする請求項３又は４に記載のエネルギー供給ユニット。
【発明の詳細な説明】
【技術分野】
【０００１】
本発明は、燃料容器と発電機とを有するエネルギー供給ユニットに関する。
【背景技術】
【０００２】
従来、筐体内に格納された発電機と、筐体の外部に設けられたガスボンベと、を備えた発電装置が提案されている（例えば、特許文献１参照）。特許文献１に記載された発電装置では、ガスボンベを筐体の外部に配置することで筐体の寸法を小さくしている。
【０００３】
しかしながら、特許文献１に記載の発電装置では、ガスボンベがカバー等で覆われておらず、風雨や機械的な衝撃等によって劣化又は故障してしまう可能性があった。また、ガスボンベの周囲をカバー等で覆う構成とした場合、一つの筐体内に発電機及びガスボンベが格納される構成と比較して部品点数が増えるとともに、装置全体が複雑化してしまうという不都合がある。
【先行技術文献】
【特許文献】
【０００４】
【特許文献１】特開２００７−３３２８００号公報
【発明の概要】
【発明が解決しようとする課題】
【０００５】
ところで、一つの筐体内に発電機及びガスボンベが格納される構成、即ち、特許文献１に記載の発電装置の筐体を左右方向に拡大し、内部に発電機とガスボンベとを並べる構成も考えられる。このような場合、筐体の左右方向寸法が大きくなるとともに、正面の扉を開いて作業を行うためのスペースが必要となるため、左右方向及び前後方向に大きな設置寸法が必要となるという不都合が考えられる。
【０００６】
本発明の目的は、燃料容器及び発電機を筐体内に格納するとともに、狭小地に設置可能なエネルギー供給ユニットを提供することにある。
【課題を解決するための手段】
【０００７】
本発明のエネルギー供給ユニットは、ガス燃料が貯留された燃料容器と、前記ガス燃料を燃焼させて発電を行う発電機と、前記ガス燃料を前記燃料容器から前記発電機に供給するための配管と、前記燃料容器、前記発電機、及び、前記配管を格納する箱状の筐体と、を有して構成され、前記筐体の内部には、前記燃料容器が格納される容器側空間と前記発電機が格納される発電機側空間とを分割する仕切り部が設けられ、前記筐体における同一の側面又は対向する二つの側面には、前記燃料容器が前記容器側空間と該筐体外部との間を通過可能な寸法を有する容器側開口部と、前記発電機が前記発電機側空間と該筐体外部との間を通過可能な寸法を有する発電機側開口部と、が形成されるとともに、前記容器側開口部を塞ぐ容器側開閉部と、前記発電機側開口部を塞ぐ発電機側開閉部と、が設けられていることを特徴とする。
【０００８】
このような本発明によれば、同一の側面又は対向する二つの側面に開口部が形成されていることで、二つの開口部に対して作業用のスペースを設けても、一方向の設置寸法のみを大きくすればよく、開口する方向に直交し、且つ、水平な方向の設置寸法が大きくなることを防ぐことができる。例えば、建物等の壁面を奥側として開口部が形成される側面を左右方向に向けた場合、左右方向にのみ設置寸法を大きくすればよく、前後方向の設置寸法を筐体の寸法と略同一とすることができ、建物間の幅が狭い通路等にも設置することができる。また、配管を燃焼機器に接続すれば、燃焼機器へのエネルギー供給も可能となる。
【０００９】
この際、本発明のエネルギー供給ユニットでは、前記燃料容器と前記発電機とは、水平方向に並設され、前記容器側開口部と前記発電機側開口部とは、前記筐体における前記燃料容器と前記発電機との並設方向に互いに対向する二つの側面にそれぞれ形成されていることが好ましい。
【００１０】
このような構成によれば、並設方向と開口部の開口方向とが一致していることで、並設方向に直交し、且つ、水平な方向、及び、上下方向の設置寸法をさらに小さくすることができる。例えば、建物等の壁面を奥側として並設方向を左右方向に合わせた場合、前後及び上下方向の設置寸法を筐体と略同一とすることができ、筐体の前後及び上下方向寸法は燃料容器と発電機とのうち大きい方の寸法から決まるため、前後及び上下方向の設置寸法を最小とすることができる。
【００１１】
さらに、本発明のエネルギー供給ユニットでは、前記仕切り部は、前記筐体内部を前記並設方向に分割する縦仕切り部と、上下方向に分割する横仕切り部と、を有して構成され、前記発電機側空間は、前記筐体よりも小さい高さ寸法を有して形成され、前記容器側空間は、前記発電機側空間よりも大きい高さ寸法を有するとともに前記縦仕切り部を介して前記発電機側空間と前記並設方向に並ぶ第一空間と、前記横仕切り部を介して前記発電機側空間の上方に位置する第二空間とを有して形成され、前記燃料容器は、前記第一空間に設けられていることが好ましい。
【００１２】
このような構成によれば、燃料容器が発電機側空間よりも大きい高さ方向寸法を有する第一空間に設けられるとともに、発電機空間の上方に第二空間が設けられていることで、燃料容器の高さ方向寸法を大きくして容量を大きくしつつ、配管を配索するためのスペースを確保して筐体の寸法が大きくなることを防ぐことができる。
【００１３】
また、本発明のエネルギー供給ユニットでは、前記配管は、前記第一空間から前記第二空間に向かって延びるとともに、前記ガス燃料を前記発電機に供給するための発電機用接続管と、前記筐体外部の燃焼機器に供給するための燃焼機器用接続管と、を有して構成され、前記発電機用接続管は、前記第二空間から前記横仕切り部を貫通して前記発電機側空間まで延びて設けられ、前記燃焼機器用接続管は、前記第二空間から前記筐体における前記発電機側の側面を貫通して外部に突出して設けられていることが好ましい。
【００１４】
このような構成によれば、配管が発電機及び燃焼機器に接続される接続管を有するとともにガス燃料を使用することで、発電機及び燃焼機器を同時に使用することができる。さらに、燃焼機器用接続管が筐体の発電機側の側面から外部に突出していることで、ガス燃料及び電気を使用する需要側と燃料容器が配される供給側とを分けることができ、作業性及び利便性の高い配置が可能となる。また、発電機用接続管が発電機側空間まで延びていることで、配管と発電機との接続が容易となる。
【００１５】
また、本発明のエネルギー供給ユニットでは、前記縦仕切り部と前記横仕切り部とのうち一方には、前記配管と前記発電機とを接続するための可撓管を前記発電機側空間に収容する可撓管収容部が設けられ、他方には、前記発電機から外部に電力を供給するための電源コードを前記発電機側空間に収容するコード収容部が設けられていることが好ましい。
【００１６】
このような構成によれば、発電機が可撓管によって発電機用配管と接続されるとともに電源コードによって外部に電力を供給することで、発電機使用時の自由度が向上する。また、可撓管及び電源コードが発電機側空間に収容されることで、燃料容器の高さ方向寸法を大きくした場合に生じる発電機上方の空間を有効に利用することができ、燃料容器の容量を大きくしつつ筐体寸法が大きくなることを抑えることができる。
【発明の効果】
【００１７】
以上のような本発明のエネルギー供給ユニットによれば、筐体の同一の側面又は対向する二つの側面に容器側開口部及び発電機側開口部が形成されていることで、燃料容器及び発電機を筐体内に格納するとともに狭小地に設置することができる。
【図面の簡単な説明】
【００１８】
【図１】本発明の実施形態に係るエネルギー供給ユニットの筐体を示す四面図である。
【図２】前記筐体の図１におけるＩＩ−ＩＩ断面図である。
【図３】前記筐体の図１におけるＩＩＩ−ＩＩＩ断面図である。
【図４】前記筐体の前側の面材を外した前記エネルギー供給ユニットを示す正面図である。
【図５】前記筐体の左右の面材を外した前記エネルギー供給ユニットを示す側面図である。
【図６】本発明の変形例に係るエネルギー供給ユニットの筐体を示す側面図である。
【発明を実施するための形態】
【００１９】
以下、本発明の実施形態を図面に基づいて説明する。
【００２０】
図１〜５において、本実施形態のエネルギー供給ユニット１は、外箱である筐体２と、ガス燃料としてのＬＰガスが貯留される燃料容器３と、ＬＰガスを燃焼させて発電して外部の図示しない電気機器に電力を供給する発電機４と、燃料容器３から発電機４にＬＰガスを供給するための配管としての配管ユニット５と、発電機４と配管ユニット５とを接続してＬＰガスを供給するための可撓管６と、発電機４と電気機器とを接続するための電源コード７と、を備えて構成されている。
【００２１】
本実施形態において、図１の正面図における左右方向をＸ方向とし、上下方向をＺ方向とし、紙面との垂直方向をＹ方向とし、前後左右上下は、図１の正面図を基準とする。エネルギー供給ユニット１は、例えば、Ｘ方向を建物間の通路の通行方向に合わせて設置され、ＬＰガスを図示しない外部の燃焼機器に供給し、停電時には発電を行って電気機器に電力を供給する。燃焼機器へのＬＰガスの供給は、常に行われてもよく、他のＬＰガス供給源が停止したときのみ行われてもよい。
【００２２】
配管ユニット５は、ＬＰガスの使用量を計測するとともにＹ方向前側に表示部５１ａを有するメータ５１と、燃料容器３に接続される容器側接続管５２と、可撓管６を介して発電機４に接続される発電機用接続管５３と、筐体２の外部に突出するとともに図示しない接続管を介して燃焼機器に接続される燃焼機器用接続管５４と、を有して構成されている。
【００２３】
筐体２は、燃料容器３、発電機４、配管ユニット５、可撓管６、及び、電源コード７を格納するとともに、Ｙ方向前側の前側面２１と、Ｘ方向左側の容器側側面２２と、Ｘ方向右側の発電機側側面２３と、Ｚ方向上側の上面２４と、Ｚ方向下側の下面２５と、Ｙ方向後側の後側面２６と、を有して箱状に形成されている。ここで、筐体２は、後側面２６が建物の壁に沿うように設置され、容器側側面２２及び発電機側側面２３付近には障害物が設けられないものとする。また、筐体２は、燃料容器３を内部に固定するための作業スペースをＹ方向に有して形成されている。
【００２４】
筐体２の容器側側面２２には、側面全体が開口した（即ち、燃料容器３のＹ方向及びＺ方向寸法よりも大きく開口した）容器側開口部２２ａが形成されるとともに、容器側開口部２２ａを塞ぐ容器側開閉部としての容器側扉２２ｂが開閉可能に設けられており、発電機側側面２３には、発電機４のＹ方向及びＺ方向寸法よりも大きく開口した発電機側開口部２３ａと、発電機側開口部２３ａを避けるとともに燃焼機器用接続管５４が通過する貫通穴２３１と、が形成されるとともに、発電機側開口部２３ａを塞ぐ発電機側開閉部としての発電機側扉２３ｂが開閉可能に設けられている。扉２２ｂ，２３ｂはＹ方向後側に回動軸を有しており、開放時に建物の壁面と略平行となることで作業性を損なわないように設けられている。
【００２５】
筐体２の前側面２１には、メータ５１のＸ方向及びＺ方向寸法よりも大きく開口したメータ開口部２１１が形成されるとともに、メータ開口部２１１を塞ぐメータ用扉２１２が開閉可能に設けられており、メータ用扉２１２には、メータ５１の表示部５１ａが筐体外側から視認できるように透明部２１３が形成されている。
【００２６】
筐体２の内部には、図２〜４に示すように、燃料容器３が格納される容器側空間２Ａと発電機４が格納される発電機側空間２Ｂとを分ける仕切り部２７と、可撓管６を収容するための可撓管収容部２８と、電源コード７を収容するコード収容部２９と、が設けられている。仕切り部２７は、ＹＺ平面に平行な縦仕切り部２７ａと、ＸＹ平面に平行な横仕切り部２７ｂと、を有して構成され、容器側空間２Ａは、縦仕切り部２７ａよりもＸ方向左側に位置するとともに下面２５から上面２４まで亘る第一空間２Ｃと、横仕切り部２７ｂよりもＺ方向上側の第二空間２Ｄと、を有して構成されている。縦仕切り部２７ａのＸ方向右側には可撓管収容部２８を支持する可撓管収容部台座２８ａが形成され、筐体２の後側面２６のＹ方向前側にはコード収容部２９を支持するコード収容部台座２９ａが形成されている。また、筐体２の前側面２１、容器側側面２２、及び、後側面２６には、ガラリ２１４，２２１，２６３が形成され、容器側空間２Ａが外部と通気可能となっており、ＬＰガスが燃料容器３から漏れた際に容器側空間２Ａ内部に充満しないようになっている。
【００２７】
次に、筐体２内部の構成の位置関係及び寸法について説明する。
【００２８】
燃料容器３と発電機４とは、図４，５に示すように、Ｘ方向に並設され、燃料容器３は、第一空間２Ｃに対応したＸ方向及びＺ方向寸法を有している。配管ユニット５は、容器側接続管５２が燃料容器３の上端付近において接続されるとともに第二空間２Ｄまで延び、第二空間２Ｄに対応したＺ方向寸法を有するメータ５１が配され、燃焼機器用接続管５４が貫通穴２３１を通過して筐体２外部に突出する一方、発電機用接続管５３が発電機側側面２３に沿うとともに横仕切り部２７ｂに形成された貫通穴２７１を通過して発電機側空間２Ｂまで延びている。発電機４は発電機側空間２Ｂに対応したＸ方向寸法を有し、可撓管収容部２８とコード収容部２９と発電機用接続管５３とはＸ方向に並ぶとともに発電機側空間２Ｂに対応したＸ方向寸法を有し、発電機４と可撓管収容部２８、及び、発電機４とコード収容部２９とは、それぞれＺ方向に並ぶとともに発電機側空間２Ｂに対応したＺ方向寸法を有している。
【００２９】
次に、発電機４の使用方法について説明する。
【００３０】
発電機４は、発電時に排気ガスを発生するとともに発熱するため筐体２外部で運転を行う必要があり、発電機側扉２３ｂを開いて発電機側開口部２３ａから筐体２外部に取り出され、可撓管６によって発電機用接続管５３に接続されて運転を開始する。この際、発電機４は、電源コード７によって電気機器と接続されることで電力の供給を行う。
【００３１】
このような本実施形態によれば、以下のような効果がある。
【００３２】
即ち、容器側側面２２に燃料容器３よりも大きな寸法を有する容器側開口部２２ａが形成され、発電機側側面２３に発電機４よりも大きな寸法を有する発電機側開口部２３ａが形成されることで、筐体２のＹ方向外側に作業用スペースを持たせることなく燃料容器３及び発電機４を筐体２から出し入れすることができ、燃料容器３及び発電機４をＹ方向に出し入れする構成と比較して、Ｙ方向の設置寸法を小さくすることができる。
【００３３】
さらに、配管ユニット５が発電機用接続管５３と燃焼機器用接続管５４とを有して構成されていることで、発電と燃料供給とを同時に行うことができる。
【００３４】
また、燃焼機器用接続管５４が発電機側側面２３から筐体２外部に突出していることで、容器側側面２２においては燃料容器３の交換が行われ、一方、発電機側側面２３においては電力供給及び燃料供給が行われるため、作業性及び利便性の高い配置が可能となる。例えば、後側面２６が建物の壁面に沿うとともに容器側側面２２が道路に面するように配置すれば、燃料容器３の交換作業が容易となり、発電機側側面２３が建物の内部側に配されるため、可撓管６及び電源コード７による延長距離を短くして電力供給及び燃料供給を行うことができる。また、発電機用接続管５３が発電機側空間２Ｂまで延びていることで、発電機用接続管５３と発電機４との接続を容易に行うことができる。
【００３５】
さらに、メータ５１の表示部５１ａが視認できるように筐体２の前側面２１に透明部２１３が形成されていることで、スペースに余裕を持たせることなく表示部５１ａを視認することができる。また、前側面２１にメータ５１よりも大きな寸法を有するメータ開口部２１１が形成されていることで、メータ５１の点検及び交換が可能であるとともに、メータ５１を出し入れするために必要なスペースをメータ５１の体積程度に抑えることができ、Ｙ方向の設置寸法の増加を抑えることができる。
【００３６】
また、各構成が空間２Ａ，２Ｂに対応した寸法を有して筐体２内部に配されていることで、空間の利用効率を高くすることができ、筐体２の寸法を大きくすることを防ぎつつ、燃料容器３の容量を大きくすることができる。
【００３７】
なお、本発明は、前記実施形態に限定されるものではなく、本発明の目的が達成できる他の構成等を含み、以下に示すような変形等も本発明に含まれる。
【００３８】
例えば、前記実施形態では、燃料容器３と発電機４とがＸ方向に並設される構成としたが、Ｚ方向に上下に配置する構成としてもよく、上下に配置することで筐体２のＸ方向寸法を小さくすることができる。また、上下に配置するとともにそれぞれの開口部２２ａ，２３ａが同一の側面に形成される構成とすれば、一つの側面に対してのみ作業用スペースを確保すればよく、Ｘ方向の設置寸法を小さくすることができるとともに、三方が囲われた場所にも設置することができる。
【００３９】
また、前記実施形態では、配管ユニット５が発電機用接続管５３及び燃焼機器用接続管５４を有する構成としたが、いずれか一方を省略し、発電機４と電気機器とのうち使用する方が適宜接続されるようにしてもよい。接続管５３，５４の一方を省略することで、部品点数を減らして構成を簡単化することができる。
【００４０】
また、前記実施形態では、燃焼機器用接続管５４が発電機側側面２３から筐体２外部に突出する構成としたが、燃焼機器の配置に合わせて適宜な側面から突出するようにしてもよい。
【００４１】
また、前記実施形態では、仕切り部２７が縦仕切り部２７ａと横仕切り部２７ｂとを有するものとしたが、横仕切り部２７ｂを省略して筐体２内部がＸ方向にのみ分割されていてもよく、横仕切り部２７ｂが省略されれば部品点数を減らすことができる。さらに、ガスメータ５１、可撓管６、及び、電源コード７は筐体２外部に保管されていてもよく、このような構成において燃料容器３のＺ方向寸法を発電機４に合わせて小さくすれば、筐体２のＺ方向寸法を小さくすることができ、Ｚ方向の設置寸法に制限のある場所（例えば、出窓等の突出部の下方）にも設置可能となる。
【００４２】
また、前記実施形態では、容器側開口部２２ａ及び発電機側開口部２３ａが容器側扉２２ｂ及び発電機側扉２３ｂによって塞がれる構成としたが、図６に示すように、容器側シャッター２２ｃ及び発電機側シャッター２３ｃによって塞がれる構成としてもよい。図６において、容器側シャッター２２ｃは巻き上げ方式であり、巻き上げロール２２ｄによって巻き上げられて容器側開口部２２ａが開放され、一方、発電機側シャッター２３ｃは引き上げ方式であり、引き上げられつつ上面２４のＺ方向下側に収納されて発電機側開口部２３ａが開放される。このような構成によれば、開口部２２ａ，２３ａの開放時にＸ方向寸法が増加することが防がれる。また、容器側シャッター２２ｃと発電機側シャッター２３ｃとは巻き上げ方式と引き上げ方式とから適宜選択され、組み合わせることができる。
【００４３】
また、前記実施形態では、ガス燃料としてＬＰガスを例示したが、発電機４及び燃焼機器に対応する適宜な燃料を選択すればよい。
【００４４】
また、前記実施形態では、エネルギー供給ユニット１は後側面２６が建物の壁に沿うように建物間の通路に設置されるものとしたが、燃料容器３及び発電機４を出し入れするためのスペースが確保された適宜な場所に設置可能である。
【００４５】
また、前記実施形態では、発電機４は筐体２の外部で運転するものとしたが、発電機側空間２Ｂが外気に対して放熱及び通気可能なように筐体２に換気手段が設けられて発電機４が筐体２内部で運転を行ってもよい。発電機４が筐体２内部で運転を行えば、発電機用接続管５３と発電機４とを直接接続し、可撓管６を省略して部品点数を減らすことができる。
【００４６】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。
【００４７】
従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００４８】
１          エネルギー供給ユニット
２          筐体
３          燃料容器
４          発電機
５          配管ユニット（配管）
６          可撓管
７          電源コード
２Ａ        容器側空間
２Ｂ        発電機側空間
２Ｃ        第一空間
２Ｄ        第二空間
２２ａ      容器側開口部
２３ａ      発電機側開口部
２２ｂ      容器側扉（容器側開閉部）
２３ｂ      発電機側扉（発電機側開閉部）
２７        仕切り部
２７ａ      縦仕切り部
２７ｂ      横仕切り部
２８        可撓管収容部
２９        コード収容部
５３        発電機用接続管
５４        燃焼機器用接続管
【図１】
2014137014.tif 000003
【図２】
2014137014.tif 000004
【図３】
2014137014.tif 000005
【図４】
2014137014.tif 000006
【図５】
2014137014.tif 000007
【図６】
2014137014.tif 000008